(57)【要約】【課題】欠点の少なくともいくつかを克服し、主に修理／管理しやすく、あまり煩雑でなく、かつ重くなく、経済的に製造できる乾式の高電圧昇圧用電源トランスを提供すること。【解決手段】本発明は、低電圧の一次側と高電圧の二次側とを画定し、強磁性コア本体を中心として同心円状に巻かれた少なくとも１つの一次巻線と少なくとも１つの二次巻線とを備え、一次巻線は外側に位置し、少なくとも１つの遮蔽性および／または絶縁性の面構造体が一次巻線と二次巻線との間に配置された少なくとも１つのモジュールを備える高電圧昇圧用電源トランスに関する。  トランス（１）は、外側の一次巻線（２）または巻部は少なくとも１つの絶縁高電圧ケーブルからなることと、少なくとも１つの中間導電性面構造体（５）および／またはコア本体（４）は二次側の出力電圧または電位差の一部である基準電位に設定されることとを特徴とする。【選択図】図１
2010081793.tif 000002
【特許請求の範囲】
【請求項１】
低電圧の一次側と高電圧の二次側とを画定し、強磁性コア本体を中心として同心円状に巻かれた少なくとも１つの一次巻線と少なくとも１つの二次巻線とを備え、少なくとも１つの遮蔽性および／または絶縁性の面構造体が一次巻線と二次巻線との間に配置された少なくとも１つのモジュールを備える高電圧昇圧用乾式電源トランスであって、トランス（１）が、低電圧の一次巻線（２）が外側に位置することと、外側の一次巻線（２）または巻部（２’）が少なくとも１つの絶縁高電圧ケーブル（７）からなることと、少なくとも１つの中間導電性面構造体（５）および／またはコア本体（４）が各モジュール（１’）の二次側の出力電圧の一部である基準ＤＣ電位に設定されることとを特徴とする、トランス（１）。
【請求項２】
少なくとも１つの面構造体（５）およびコア本体（４）が、例えば、関連する整流段の後で二次側の電位中点（１０’）に接続されることで、二次側の出力電圧のほぼ半分の基準電位に設定されることを特徴とする、請求項１に記載のトランス。
【請求項３】
各モジュール（１’）が、一次巻線（２）と二次巻線（３）との間に二重の面構造体（５、５’）を備え、二次巻線（３）とコア本体（４）との間に一重の面構造体（５’’）を備えることを特徴とする、請求項１または２に記載のトランス。
【請求項４】
各モジュール（１’）が、別個の出力線（６）の組を有し、コア本体（４）の同一部分に積層され、および／または前記コア本体の２つ以上の異なる部分（４’）に取り付けられた少なくとも２つの独立した二次巻線（３）を備え、少なくとも１つ、好ましくは２つの中間面構造体（５、５’）が前記二次巻線（３）全体を覆い、コア本体（４）の内部の共有部分（４’）に沿って、前記二次巻線（３）の周囲の外側に配置された一次巻線（２）または巻部（２’）よりも軸方向に長く延在することを特徴とする、請求項１から３のいずれか一項に記載のトランス。
【請求項５】
一次巻線（２）が、並列に配置され、巻かれた少なくとも２つの高電圧ケーブル（７）からなることを特徴とする、請求項１から４のうちいずれか一項に記載のトランス。
【請求項６】
各モジュール（１’）が、複数の同一部分（４’）を有するループ状のフェライトコア本体４を備えることと、少なくとも１つ、好ましくは少なくとも３つの独立した二次巻線（３）および一次巻線２の巻部（２’）が、前記コア本体４の前記部分（４’）の各々を中心として同心円状に一緒に配置され、各部分（４’）の周囲に配置される二次巻線（３）と一次巻部（２’）とは一致することとを特徴とする、請求項１から５のいずれか一項に記載のトランス。
【請求項７】
コア本体（４）の各部分４’を中心として、巻線支持体（８）、絶縁スクリーンを形成する面構造体（５’’）（基材は紙が好ましい）、各々別個の出力線（６）の組を有し、積層され、独立した同一の少なくとも２つの二次巻線（３）、絶縁スクリーンを形成する面構造体（５’）（基材は紙が好ましい）、シールドを形成する面構造体（５）（好ましくは、銅などの金属板製で、スロットを備える）、一次巻線（２）の半分（２’）、公称出力電圧または二次側における電位差の半分より高く、前記公称出力電圧または二次側における電位差よりも低い電圧絶縁強度を有する絶縁スクリーン（５’、５’’）の構成部材が順に配置されることを特徴とする、請求項６に記載のトランス。
【請求項８】
各モジュール（１’）の部材（２、３、４、５、５’、５’’、８）が、例えば、ねじ棒などの取り外し可能なスペーサ（９’’）を用いて強固に接続された、対向する上下絶縁板（９’）を備える側方に開放したケーシング９内に取り付けられることを特徴とする、請求項１から７のいずれか一項に記載のトランス。
【請求項９】
直列または並列に配置接続された少なくとも２つのモジュール（１’）を備え、各モジュール（１’）の各二次巻線（３）の出力線（６）が整流回路（１０）に接続されることを特徴とする、請求項１から８のいずれか一項に記載のトランス。
【請求項１０】
少なくとも１つの（コンバータモジュール／トランス）アセンブリ、好ましくは並列の複数のこのようなアセンブリを備え、コンバータモジュールの出力が、少なくとも１つのトランスの一次巻線に接続される、例えば、誘導出力管に電力を供給するのに適したスイッチモード電源などの高電圧電源ユニットであって、トランスが、典型的には１０から９０ｋＷの平均定格電力を有する、請求項１から９のいずれか一項に記載の高電圧昇圧用乾式トランス（１）であることを特徴とする電源ユニット。
【請求項１１】
各コンバータモジュール（１３）が、入力側から出力側に見て順に、整流回路（１４）と、バックコンバータ（１５）と、共振Ｈブリッジ回路（１６）とを備え、前記コンバータ（１３）が、絶縁トランス（１７）を介して少なくとも１つの昇圧用電源トランス（１）の一次巻線（２）に接続されることを特徴とする、請求項１０に記載の電源ユニット。
【請求項１２】
トランス（１）の一次巻線（２）のどんな絶縁不良も検出するように構成され、自動停止手段および入力保護回路と協働する絶縁不良検出手段を備えることを特徴とする、請求項１０または１１に記載の電源ユニット。
【請求項１３】
回路網側で並列、二次出力側で直列に配置接続された複数の（コンバータモジュール（１３）／トランス（１））アセンブリを備え、各コンバータモジュール（１３）が１つのトランス（１）またはモジュール（１’）に接続されることを特徴とする、請求項１０から１２のいずれか一項に記載の電源ユニット。
【請求項１４】
回路網側で並列、二次出力側で直列に配置接続された複数の（コンバータモジュール（１３）／トランス（１））アセンブリを備え、各コンバータモジュール（１３）が少なくとも２つのトランス（１）またはモジュール（１’）に接続されることを特徴とする、請求項１０から１２のいずれか一項に記載の電源ユニット。
【発明の詳細な説明】
【技術分野】
【０００１】
本発明は、高圧電源の分野に関し、より詳細には、高電圧昇圧用乾式電源トランスおよびそのようなトランスを少なくとも１つ備える電源ユニットに関する。
【背景技術】
【０００２】
本発明で考えられるトランスの典型的な出力範囲は、約数ｋＶＡから数十ｋＶＡである。
【０００３】
このようなトランスは、低電圧回路網（一般に４００から６００Ｖ）に接続されることで、数千から数十万Ｖの電圧レベルを供給する。
【０００４】
これらのトランスは、多数の工業用途ならびに研究および分析機器や設備に関連した用途がある。
【０００５】
特に、このようなトランスは、例えば、スイッチモードで動作し、負荷に接続されたＩＯＴ（Ｉｎｄｕｃｔｉｖｅ  Ｏｕｔｐｕｔ  Ｔｕｂｅ）装置のような高エネルギー装置に電力を供給するのに使用される電源系の一部とすることができる。
【０００６】
このようなトランスに関して、油入または湿式トランスと乾式トランスとの２つの主な技術がある。
【０００７】
第１タイプでは、トランス自体が液体誘電体（例えば、鉱物油）で充填されたハウジングの中に配設されて、巻線を絶縁し冷却する。
【０００８】
これらのトランスには３つの主な欠点がある。１つ目は、これらのトランスは大型で重い点である（液体の量のため、また適合するケーシングが必要であるため）。２つ目は、誘電液体による汚染（煙害または低温害）の危険性により環境災害につながる点である。３つ目は、メンテナンスまたは修理の作業の場合に、トランス部材を扱うには必ず、事前に誘電液体を完全に空にし、ハウジングから全てのトランス部材を完全に取り除く必要がある。通常、その後、乾燥段階になる。
【０００９】
したがって、この２０年にわたって乾式技術が大きく発展してきた。
【先行技術文献】
【特許文献】
【００１０】
【特許文献１】国際公開第９８／３４２４０号パンフレット
【特許文献２】国際公開第９９／１７３１１号パンフレット
【特許文献３】国際公開第９７／１３３９１号パンフレット
【特許文献４】米国特許第６１４４５６４号明細書
【発明の概要】
【発明が解決しようとする課題】
【００１１】
それでも、（高温含浸または熱硬化性ポリマーでの被覆により／巻線と巻線との間および周囲を分離し、覆う絶縁外皮を設けることで）このようなトランス内の巻線の絶縁は、大きな余分のコストになり、また余分の重量となってしまう。
【００１２】
また、このような乾式トランスの修理やアフターサービスの作業は、特に、絶縁層のために、かなり細心の注意を払わなければならず、および／または面倒である。
【００１３】
上述した欠点の少なくともいくつかを克服し、主に修理／管理しやすく、あまり煩雑でなく、かつ重くなく、経済的に製造できる乾式の高電圧昇圧用電源トランスを提供することが、本発明の主な目的である。
【課題を解決するための手段】
【００１４】
これらの目的を達成するために、本発明は、低電圧の一次側と高電圧の二次側とを画定し、強磁性コア本体を中心として同心円状に巻かれた少なくとも１つの一次巻線と少なくとも１つの二次巻線とを備え、少なくとも１つの遮蔽性および／または絶縁性の面構造体が一次巻線と二次巻線との間に配置された少なくとも１つのモジュールを備える高電圧昇圧用乾式電源トランスを提案する。トランスは、低電圧の一次巻線は外側に位置すること、外側の一次巻線または巻部は少なくとも１つの絶縁高電圧ケーブルからなること、および少なくとも１つの中間の導電面構造体および／またはコア本体は各モジュールの二次側の出力電圧の一部である基準ＤＣ電位に設定されることを特徴とする。
【００１５】
したがって、本発明の根本概念は、主な電気的絶縁の制約を一次側に移すことと、一次巻線をそれ自体が強い絶縁性であるワイヤ材料製にすることと、同時に二次巻線に最も近い部材または二次巻線と一次巻線との間に配置された部材を所定の電位に設定して、（二次巻線とその中間環境との電位差レベルを低減することにより）二次巻線の高いレベルの絶縁の必要性を制限することと、その制限された絶縁性を損なう危険性を低減することとにある。これらの方策をとることにより、煩雑でなく、コストがかからず、より軽量な構造の乾式トランスを実現することができる。
【００１６】
さらに、一次巻線は外層を形成し（およびアクセスしやすい）、（高電位差による電圧ストレスに最もさらされやすいため）最も損傷を受けやすい巻線であるので、修理／メンテナンスの作業のほとんどがこの一次巻線に集中されることになる。
【００１７】
最後に、トランスのモジュール構造により、トランスの複数の基本モジュールを結合して、所与の用途の必要性に応じてより高電圧／出力電源トランス装置を作ることができ、各モジュールの製造を標準化しやすい。このような複数の組み合わせたトランス構造（複数の相互接続モジュール）であっても、修理／メンテナンスは簡単である。それは、損傷または不具合は通常、外側の一次巻線および１つのモジュールのみに影響を及ぼすため、また各モジュールが好ましくは１人またはせいぜい二人で簡単に扱うことができる寸法であるためである。
【００１８】
本発明は、非限定的な例として示されたこの本発明の実施形態の以下の説明および図面からより理解できる。
【図面の簡単な説明】
【００１９】
【図１】１つのモジュールを備える本発明のトランスの概略を示す高電圧電源ユニットの部分概略図である。
【図２】図１で概略的に示されたトランスモジュールの一実施形態の分解斜視図である。
【図３】図２で示されたトランスモジュールの組立機能状態の斜視図である。
【図４】図２および図３のトランスモジュールの一次巻線ではなく二次出力線を示す概略的な部分透視側面図である。
【図５】図２および図３で示されたトランスモジュールの側面図（部分透視図）である。
【図６】図２および図３で示されたトランスモジュールの前面図（部分透視図）である。
【図７】図２および図３で示されたトランスモジュールの底面図（部分透視図）である。
【図８】本発明による出力が直列接続された複数のモジュールを備えるトランスを内蔵した本発明の高電圧電源ユニットの概略図である。
【図９Ａ】コンバータ／トランスの配置を示す、本発明の高電圧電源ユニットの簡略図である。
【図９Ｂ】コンバータ／トランスの配置を示す、本発明の高電圧電源ユニットの簡略図である。
【図１０】本発明の高電圧電源ユニットを内蔵した、ＩＯＴ用の電源システムの簡略図である。
【発明を実施するための形態】
【００２０】
図１から図７で示されるように、高電圧昇圧用乾式トランス１は、低電圧の一次側と高電圧の二次側とを画定し、強磁性コア本体４を中心として同心円状に巻かれた少なくとも１つの一次巻線２（１つまたは複数の巻部２’）と少なくとも１つの二次巻線３とを備え、少なくとも１つの遮蔽性および／または絶縁性の面構造体５、５’が一次巻線と二次巻線との間に配置された少なくとも１つのモジュール１’を備える。本発明のトランス１は、複数のモジュール１’（通常は同一）を備えてもよいし、また単一モジュール１’に減らすことも可能であることに留意すべきである。
【００２１】
一次巻線２は、外側に位置する（同心巻線構成の外層を形成する）。本発明によれば、低電圧の一次巻線は外側に位置し、外側の一次巻線２または巻部２’は少なくとも１つの絶縁高電圧ケーブル７からなり、少なくとも１つの中間の導電面構造体５および／またはコア本体４は各モジュール１’の二次側の出力電圧の一部である基準ＤＣ電位に設定される。
【００２２】
電圧強度が二次側の電圧出力レベルに合わされた可撓性ケーブル７は、シリコン絶縁被覆のみを有する高電圧ケーブル、または内側の半導電層と外側のシリコン絶縁被覆とを有する高電圧ケーブルとすることができる。ＷＯ９８／３４２４０にはそのようなケーブルの例が記載されている。
【００２３】
好ましくは、少なくとも１つの導電面構造体５およびコア本体４は、例えば、有利には関連する整流段にある、または関連する整流段の後にある二次側の電位中間点１０’に接続されて、二次側の出力電圧の約半分の電圧であるＤＣ基準電位に設定される。
【００２４】
本発明の好適な実施形態によれば、図２、図４、図７に示すように、上記トランス１またはそのトランスを形成する各トランスモジュール１’は、一次巻線２と二次巻線３との間の二重の面構造５、５’と、二次巻線３とコア本体４との間の別の一重の面構造５’’とを備える。
【００２５】
面構造体５は、例えば、二次側の出力電圧または電位差の一部（好ましくは半分）とされた導電遮蔽構造体に相当する場合があるが、面構造体５’および５’’は、例えば、高電圧強度を有する絶縁スクリーンに相当する場合がある。
【００２６】
本発明の二次巻線３の構成を容易にするため、また最適な絶縁を保証するために、トランス１または各トランスモジュール１’は、出力線６の別個の組を有し、コア本体４の同一部分に積層された、および／または上記コア本体の２つ以上の異なる部分４’に取り付けられた少なくとも２つの独立した二次巻線３を備え、少なくとも１つ、好ましくは２つの中間の面構造体５、５’は上記二次巻線３を完全に覆い、コア本体４の内部の共有部分４’に沿って、上記二次巻線３の外側に配置された一次巻線２または巻部２’よりも軸方向に長く延在する。
【００２７】
トランスモジュール１’の全体構造は、コア本体４の形状および配置、例えば、複数の部分４’を有する円形、矩形またはその他の形状により決まる。
【００２８】
各部分４’の周囲には、１つまたは複数の独立した二次巻線３が配置され、二次巻線３の各々は一次巻線２の少なくとも１つの巻部２’に取り囲まれている。
【００２９】
二次巻線３の出力線または出力リード線６は、当然、適合した絶縁手段を備え、（一次電圧強度を遮蔽する）シールドの裏側に配置される。
【００３０】
一般に、一次巻線２は１つのケーブル７からなる。
【００３１】
しかし、定格出力／電流の値が重要である場合、並列に配置され、巻かれた少なくとも２つの高電圧ケーブル７からなる一次巻線２を設けることを検討することができる（図２、図３、図６、図７を参照）。
【００３２】
有利には、トランス１はまたは各モジュール１’は、複数の同一部分４’を有するループ状のフェライトコア本体４を備え、少なくとも１つ、好ましくは少なくとも３つの独立した二次巻線３および一次巻線２の巻部２’は、上記コア本体４の上記部分４’の各々を中心として同心円状に一緒に配置され、各部分４’の周囲に配置される二次巻線３と一次巻部２’とは一致する。
【００３３】
図１および図２で示されるように、コア本体４は、例えば、２つの柱状部４’を有する矩形および矩形断面とすることができる。上記コア本体４は、例えば、フェライト材料からなる２つの単純なＵ字型の本体４’’で形成され、それらの脚部の自由端部により接続される（図１参照）。
【００３４】
本発明のトランス１の詳細な構造の例によれば、以下の構成部材がコア本体４の各部分４’を中心として順に配置されている。その構成部材は、巻線支持体８、絶縁スクリーンを形成する面構造体５’’（基材は紙が好ましい）、各々別個の出力線６の組を有する、積層され、独立した同一の少なくとも２つの二次巻線３、絶縁スクリーンを形成する面構造体５’（基材は紙が好ましい）、シールドを形成する面構造体５（好ましくは、銅などの金属板製で、スロットを備える）、一次巻線２の片方の巻部２’、公称出力電圧または二次側における電位差の半分より高くもしくは大きく、上記公称出力電圧または二次側における電位差よりも低い電圧絶縁強度を有する絶縁スクリーン５’、５’’（例えば、Ｎｏｍｅｘ（登録商標）の可撓性シート製）である。
【００３５】
非限定的な実施形態では、一次巻線２は、例えば、フェライト支持部分４’が２つの場合に、２つの同一の巻部２’を直列構成とすると、８回巻きとなり、二次巻線３は、各々１６回巻きの６つの同一の巻線３からなり、３つの巻線は２つの部分４’の各々の周囲で均一に配置される。
【００３６】
このような実施形態のトランス１が適切なコンバータモジュール１３を介して４００Ｖの回路で電力が供給される場合、トランス１は、二次側で平均の定格電力が少なくとも１０から３０ｋＷで約５０００Ｖの出力電圧を生成することができる。
【００３７】
シールド５は、知られている方法で、二次巻線３の周囲で静電気保護を保証する。場合により、両端部を引き伸ばして（適度に傾斜したエッジ部を有する）開口遮蔽ケーシングを形成し、一次巻線と二次巻線との間のアークの発生を防ぐことができる。
【００３８】
図２から図７で示されるように、各モジュール１’の簡単で有効な実用的な構造は、各モジュール１’の部材２、３、４、５、５’、５’’、８が側方を開放したケーシング９内に取り付けられる場合に達成される。ケーシング９は、例えば、ねじ棒などの取り外し可能なスペーサ９’’を用いて強固に接続された、対向する上下絶縁板９’を備える。
【００３９】
本発明のモジュール１’の最適性能の数倍を超える定格電力を有するトランスを提供することが必要である場合、本発明は、直列または並列に配置して接続された適切な数のモジュール１’を備え、各モジュール１’の各二次巻線３の出力線６は整流回路に接続されるトランス１を提案する。
【００４０】
例えば、フルブリッジ整流器などの当業者に知られている上記整流回路１０は、有利には、各モジュール１’の上部板９’に取り付けられる。
【００４１】
トランスモジュール１’および関連する整流回路１０は、適合したハウジング（例えば、いわゆる「クレート」）内に設置され、このハウジングは場合によって埃の無い環境を提供し、冷却のために強制的に空気を循環させる。
【００４２】
本発明はまた、図８、図９Ａ、図９Ｂ、図１０に示されるように、少なくとも１つの（コンバータモジュール１３／トランス１）アセンブリ、好ましくは並列の複数のこのようなアセンブリを備える高電圧電源ユニット１１、例えば、誘導出力管（ＩＯＴ）１２に電力を供給するのに適したスイッチモード電源を含む。この場合、コンバータモジュール１３の出力は、少なくとも１つのトランス１の一次巻線２に接続される。
【００４３】
本発明によれば、関係するトランス１は、本明細書内で上述したような高電圧昇圧用乾式トランス１であり、典型的には１０から９０ｋＷの平均定格電力を有する。
【００４４】
好適な実施形態では、図８で概略的に示されるように、各コンバータモジュール１３は、入力側から出力側に見て順に、整流回路１４（ＡＣ／ＣＤ変換）、バックコンバータ１５（エネルギー伝達調整）、および共振Ｈブリッジ回路１６（コア本体４の特徴に応じて最適な平均周波数を提供する）を備え、上記コンバータ１３は、（回路網を一次巻線２から絶縁する）絶縁トランス１７を介して少なくとも１つの昇圧用電源トランス１の一次巻線２に接続される。
【００４５】
このタイプのコンバータおよび３つの主な部材は、当業者には知られている。このようなコンバータモジュール１３は、特に、出願者により商品化されている。
【００４６】
関連性（バックコンバータ１５／共振Ｈブリッジ１６）により、一次側と二次側とで同一の調整変数（ここでは、電圧）を使用することができる。また、共振特性により、電源ユニットの効率は非常に高くなる（Ｈブリッジのスイッチング損失が小さい）。
【００４７】
電源ユニット１１の確実な動作を保証するために、この電源ユニットはまた、トランス１の一次巻線２のどんな絶縁不良も検出するように構成され、自動停止手段（例えば、Ｈブリッジ回路１６内に配置される）および入力保護回路と協働する絶縁不良検出手段を備える。
【００４８】
検出手段は、例えば、トランス１（またはモジュールの各々）の一次側の接地電流または二次側の出力電流の値もしくはレベルを感知する電流測定手段１８内にあり、この電流は、トランス１（または少なくとも１つのモジュール）の絶縁破壊の場合に、極度に高くなり、急増しやすい。
【００４９】
さらに、保護を強化するために、トランス１の絶縁破壊の場合に自動的に電流を接地に導出することができる物理的手段１８’を、例えば、コンバータモジュール１３とトランス１または各モジュール１’の一次巻線２との間に配設することができる（図８）。
【００５０】
並列配置の場合に、本発明により、コンバータモジュール１３とトランス１またはトランスモジュール１’との間の接続形態に応じて、顧客の要求に適合した電力供給法を提案することができる。
【００５１】
したがって、例えば、１６０ｋＷの電力供給を達成するためには、図９Ａで示されるように、電源ユニット１１は、回路網側で並列、二次出力側で直列に配置接続された複数の（コンバータモジュール１３／トランス１）アセンブリを備えることができる。各コンバータモジュール１３は１つのトランス１またはモジュール１’に接続される。
【００５２】
あるいは、例えば、（同じトランス配置を使用して）８０ｋＷの電力供給を達成するためには、図９Ｂで示されるように、電源ユニット１１は、回路網側で並列、二次出力側で直列に配置接続された複数の（コンバータモジュール１３／トランス１）アセンブリを備えることができる。各コンバータモジュール１３は少なくとも２つのトランス１またはモジュール１’に接続される。
【００５３】
最後に、本発明はまた、本発明の高電圧電源ユニット１１を内蔵する図１０に示されるような誘導出力管（ＩＯＴ）用の電源システムに関する。
【００５４】
このような電源システムの構成および機能は当業者には知られており、本明細書でさらに説明する必要はない。
【００５５】
本発明は、当然、本明細書内で説明し、取り上げた好適な実施形態に限定されるものではなく、本発明の範囲から逸脱せずに変更し、等価物を使用することができる。
【符号の説明】
【００５６】
１  トランス
１’  トランスモジュール
２  一次巻線
２’  巻部
３  二次巻線
４  コア本体
４’  本体の部分、柱状部
４’’  Ｕ字型の本体
５、５’、５’’  面構造体、絶縁スクリーン
６  出力線
７  ケーブル
８  巻線支持体
９  ケーシング
９’  絶縁板、上部板
９’’  スペーサ
１０、１４  整流回路
１０’  電位中間点
１１  高電圧電源ユニット
１２  誘導出力管（ＩＯＴ）
１３  コンバータモジュール
１５  バックコンバータ
１６  共振Ｈブリッジ回路
１７  絶縁トランス
１８  電流測定手段
１８’  物理的手段
【図１】
2010081793.tif 000003
【図２】
2010081793.tif 000004
【図３】
2010081793.tif 000005
【図４】
2010081793.tif 000006
【図５】
2010081793.tif 000007
【図６】
2010081793.tif 000008
【図７】
2010081793.tif 000009
【図８】
2010081793.tif 000010
【図９Ａ】
2010081793.tif 000011
【図９Ｂ】
2010081793.tif 000012
【図１０】
2010081793.tif 000013
【外国語明細書】
2010081793.tif 000014
2010081793.tif 000015
2010081793.tif 000016
2010081793.tif 000017
2010081793.tif 000018
2010081793.tif 000019
2010081793.tif 000020
2010081793.tif 000021
2010081793.tif 000022
2010081793.tif 000023
2010081793.tif 000024
2010081793.tif 000025
2010081793.tif 000026
2010081793.tif 000027
2010081793.tif 000028
2010081793.tif 000029
2010081793.tif 000030
2010081793.tif 000031
2010081793.tif 000032
2010081793.tif 000033
2010081793.tif 000034
2010081793.tif 000035